(57)【要約】【課題】  本考案は絶縁本体に緊密に固着される電気コネクタを提供することを目的とする。【解決手段】  本考案は、相手コネクタを連接する電気コネクタに関する。該電気コネクタは、絶縁本体１と、収容槽１５に収容され、接触部２１と半田部２２を有する導電端子２と、絶縁本体１を覆うハウジング３と、を備える。前記絶縁本体１には、互いに対向するように設置される第１、第２側壁１１、１２と、該第１、第２側壁１１、１２に囲まれる収容槽１５と、を含む。前記ハウジング３には、第１側壁１１の内側を覆い、耳部３２１を有する屈曲部３２が設けられる。前記絶縁本体１には、該耳部３２１が収容される耳受け部１１２が形成される。【選択図】  図３
0003112259.tif 000002
【実用新案登録請求の範囲】
【請求項１】
相手コネクタを連接する電気コネクタにおいて、
該電気コネクタは、互いに対向するように設置される第１、第２側壁と、該第１、第２側壁に囲まれる収容槽と、を含む絶縁本体と、
前記収容槽に収容され、接触部と半田部を有する導電端子と、
絶縁本体を覆うハウジングと、を備え、
前記ハウジングには、前記第１側壁の内側を覆い、耳部を有する屈曲部が、設けられ、前記絶縁本体には、該耳部が収容される耳受け部が形成されることを特徴とする電気コネクタ。
【請求項２】
前記ハウジングは、前記絶縁本体の側壁の外側面を覆うシールド片を有し、前記屈曲部は、シールド片から内側に延設され、前記第１側壁の内側を覆って、且つ前記絶縁本体には、前記屈曲部が係合する凹所が形成されることを特徴とする請求項１に記載の電気コネクタ。
【請求項３】
前記屈曲部には、開口部が形成され、前記耳部が、上向きに突出し、該開口部に突伸することを特徴とする請求項２に記載の電気コネクタ。
【請求項４】
前記絶縁本体には、前記開口部に嵌め込まれる凸塊が設けられることを特徴とする請求項３に記載の電気コネクタ。
【請求項５】
前記屈曲部には、前記相手コネクタと係合する突出部が設けられることを特徴とする請求項２に記載の電気コネクタ。
【請求項６】
前記第１側壁に対応するシールド片には、一対の自由端を有し、前記一対の屈曲部は、該自由端に設置される特徴とする請求項２に記載の電気コネクタ。
【請求項７】
前記絶縁本体の第２側壁の内側面には、導電端子が挿入される舌板が設置されることを特徴とする請求項１に記載の電気コネクタ。
【請求項８】
前記絶縁本体の第２側壁の外側面には、一対の係合部が対称に設置され、ハウジングには、該係合部が収容される係合受け部が形成されることを特徴とする請求項１に記載の電気コネクタ。
【請求項９】
前記絶縁本体の底部には、ハウジングを受けるフランジが設けられることを特徴とする請求項１に記載の電気コネクタ。
【請求項１０】
前記ハウジングには、複数の半田脚が設けられ、且つ回路基板に半田付けされることを特徴とする請求項１に記載の電気コネクタ。
【考案の詳細な説明】
【技術分野】
【０００１】
本考案は電気コネクタに関し、特にハウジングを有する電気コネクタに関する。
【背景技術】
【０００２】
電子工業における電気コネクタは、絶縁本体と、該絶縁本体に収容される複数の導電端子と、該絶縁本体を覆うハウジングと、を備える。絶縁本体には、相手コネクタが収容される収容槽が形成される。該ハウジングは、相手コネクタに係合する。該電気コネクタが、相手コネクタに連接或いは相手コネクタから脱出する力によって、ハウジングが、絶縁本体に緊密に組み合わせることが、必要である。
【０００３】
一種の電気コネクタは、係合受け部が形成されるハウジングと、凸塊が設けられる絶縁本体と、を有する。該電気コネクタのハウジングは、該凸塊が係合受け部に係合されることによって、絶縁本体から脱出しにくい。そのようなスイッチの構造は特許文献１に記載されてしる。
【０００４】
ところが、該電気コネクタが、相手コネクタに連接或いは相手コネクタから脱出する過程で、凸塊は、小さい強度を具備し、裂けられ易い。そして、ハウジングは、絶縁本体に安定的に固着しにくい。
【０００５】
従って、本考案は前記の欠点を克服するために一種の新たな電気コネクタを設計する。
【０００６】
【特許文献１】米国特許第５、９２１、８１４号明細書
【考案の開示】
【考案が解決しようとする課題】
【０００７】
本考案の目的は、このような従来の問題点を解決した電気コネクタを提供することである。すなわち、従来の技術と違って、ハウジングが、絶縁本体に緊密に固着される電気コネクタを得られるようにする。
【課題を解決するための手段】
【０００８】
本考案は相手コネクタを連接する電気コネクタに関し、該電気コネクタは、絶縁本体と、収容槽に収容され、接触部と半田部を有する導電端子と、絶縁本体を覆うハウジングと、を備える。前記絶縁本体には、互いに対向するように設置される第１、第２側壁と、該第１、第２側壁に囲まれる収容槽と、を含む。前記ハウジングには、第１側壁の内側を覆い、耳部を有する屈曲部が設けられる。前記絶縁本体には、該耳部が収容される耳受け部が形成される。
【考案の効果】
【０００９】
従来の技術に比べると、本考案は以下の長所がある。該ハウジングには、耳部が設けられる屈曲部を、有する。該耳部が耳受け部に係合されることによって、ハウジングは、絶縁本体に安定的に固着し易くなる。
【考案を実施するための最良の形態】
【００１０】
図１及び図２に示すように、本考案の電気コネクタ１００は、絶縁本体１と、該絶縁本体１に挿入される複数の導電端子２と、該絶縁本体１を覆うハウジング３と、を備える。
【００１１】
図１、図２において、絶縁本体１は、互いに対向するように配設される第１側壁１１、第２側壁１２と、該第１、第２側壁１１、１２と連接する第３側壁１３と、該第１、第２、第３側壁１１、１２、１３から囲まれてなる収容槽１５と、第２側壁１２の内側に設置される舌板１４と、を備える。導電端子２は、舌板１４が挿入される。
【００１２】
前記第１側壁１１の中央部には、収容槽１５向きに形成される凹所１１１が、設置される。該凹所１１１の中央には、耳受け部１１２（図４参照）が設けられる。前記第１側壁１１の外側面の中央には、耳受け部１１２に背離するように突出する凸塊１１３が、設けられる。前記第２側壁１２の外側面には、一対の係合部１２１が対称に設置される。第３側壁１３の底部には、ハウジング３を受けるフランジ１０が設けられる。
【００１３】
前記舌板１４には、複数の端子受け（図示せず）が設けられる。該端子受けに挿入される各導電端子２は、収容槽１５に向きに突出する接触部２１と、第２側壁１２から外側へ延伸する半田部２２（図４参照）と、を有する。該接触部２１が、相手コネクタに接触し、半田部２２が、回路基板（図示せず）に半田付けされる。
【００１４】
ハウジング３は、絶縁本体１の側壁の外側面を覆うシールド片から形成され、本体部３１と、本体部３１から内側に延設される屈曲部３２（図３参照）と、を備える。図１と、図３において、本体部３１は、第１、第２、第３側壁１１、１２、１３を覆う。第１側壁１１に対応するシールド片には、一対の自由端と、該自由端の間に形成される開口部３０と、を含む（図２参照）。前記屈曲部３２（図３参照）は、該自由端から内側に延設し、第１側壁１１の内側を覆う。ハウジング３の両側には、両対の半田脚３１３（図３参照）が設けられ、且つ回路基板（図示せず）に半田付けされる。
【００１５】
図３〜図６において、前記屈曲部３２には、一対の耳部３２１（図５、図６参照）が、上向きに突出し、開口部３０に突伸する。該耳部３２１の両側には、相手コネクタと係合する一対の突出部３２２（図５、図６参照）が、収容槽１５側に突出する。前記耳部３２１と、突出部３２２と、屈曲部３２とが、一体になっている。該耳部３２１は、開口部３０向きに傾斜する。屈曲部３２に対向するシールド片の中部には、底面と平行に配列される細長な凸部３１２（図４参照）が設けられる。突出部３２２と、凸部３１２は、該電気コネクタが相手コネクタに結合される強い結合力を提供する。該凸部３１２の両側には、前記係合部１２１に係合する一対の係合受け部３１１が、形成される。
【００１６】
前記ハウジング３は、絶縁本体１に取り付けられる。ハウジング３のシールド片は、第１、第２、第３側壁１１、１２、１３を覆う。屈曲部３２は、第１側壁１１の内側を覆う。ハウジング３の耳部３２は、ハウジング３が下に移動するに従って、弾性変形によって、絶縁本体１の耳受け部１１２に係合される（図５参照）。同時に、絶縁本体１の凸塊１１３が、開口部３０に嵌め込まれる。係合部１２１が、係合受け部３１１に係合される。
【００１７】
ハウジング３は、絶縁本体１から脱出される力を受ける時、耳部３２１が、耳受け部１１２に係合することによって、絶縁本体１から脱出しにくい。
【００１８】
他の実施例において、前記屈曲部３２は、本体部３１の他の部分に設置できる。また、複数の屈曲部３２を設けることも可能である。突出部３２２と、耳部３２１とを、異なる屈曲部３２に設置してもよい。
【００１９】
総じて、本考案の多数の特徴及び長所など、その構造及び機能が共に前述の記載により掲げられている。また前記の説明において、本考案に基づきなしうる細部の修正或いは変更などは、いずれも本考案の請求範囲に属するものとする。
【産業上の利用可能性】
【００２０】
本考案は電気コネクタに関し、特に、良好な信号を伝送し、且つ挿入体が絶縁本体から脱出することを防止できる薄い電気コネクタに関する。
【図面の簡単な説明】
【００２１】
【図１】本考案の電気コネクタの第１角度の立体組立図である。
【図２】本考案の電気コネクタの第１角度の分解図である。
【図３】本考案の電気コネクタの第２角度の立体組立図である。
【図４】本考案の電気コネクタの第２角度の分解図である。
【図５】本考案の電気コネクタの屈曲部を絶縁本体に組み合わせた部分を示す拡大図である。
【図６】本考案の電気コネクタの屈曲部の拡大図である。
【符号の説明】
【００２２】
１  絶縁本体
２  導電端子
３  ハウジング
１０  フランジ
１１  第１側壁
１２  第２側壁
１３  第３側壁
１４  舌板
１５  収容槽
２１  接触部
２２  半田部
３０  開口部
３１  本体部
３２  屈曲部
１１１  凹所
１１２  耳受け部
１１３  凸塊
１２１  係合部
３１１  係合受け部
３１２  凸部
３１３  半田脚
３２１  耳部
３２２  突出部
【図１】
0003112259.tif 000003
【図２】
0003112259.tif 000004
【図３】
0003112259.tif 000005
【図４】
0003112259.tif 000006
【図５】
0003112259.tif 000007
【図６】
0003112259.tif 000008